(57)【要約】      （修正有）【課題】  消去波形と下降ランプ波形を一つの回路ブロックで実現するプラズマディスプレイパネルＰＤＰの駆動装置及び方法を提供する。【解決手段】この駆動方法では、リセット区間は、第一電極に第一電圧から第二電圧まで下降する第一電圧波形を印加して維持放電区間に形成された壁電荷を消去する第一区間と、第一電極に第三電圧から第四電圧まで上昇する第二電圧波形を印加する第二区間と、第一電極に第五電圧から第二電圧より低い第六電圧まで下降する第三電圧波形を印加する第三区間とから構成される。【選択図】    図５
2005128507.tif 000002
【特許請求の範囲】
【請求項１】
第１電極及び第２電極と、前記第１電極及び第２電極の間に形成されるパネルキャパシターとを含むプラズマディスプレイパネルの駆動方法において、
前記駆動方法は、リセット区間、アドレス区間、維持放電区間を含み、
前記リセット区間において、
（ａ）第１区間の間、前記第１電極に第１電圧から第２電圧まで下降する第１電圧波形を印加して、前記維持放電区間に形成された壁電荷を消去する段階；
（ｂ）第２区間の間、前記第１電極に第３電圧から第４電圧まで上昇する第２電圧波形を印加する段階；及び
（ｃ）第３区間の間、前記第１電極に、第５電圧から前記第２電圧より低い第６電圧まで下降する第３電圧波形を印加する段階；
を含むプラズマディスプレイパネルの駆動方法。
【請求項２】
前記第１電圧波形と前記第３電圧波形は下降ランプ波形である、請求項１に記載のプラズマディスプレイパネルの駆動方法。
【請求項３】
前記第１電圧波形と前記第３電圧波形の傾きは同一である、請求項２に記載のプラズマディスプレイパネルの駆動方法。
【請求項４】
前記第１電圧は維持放電電圧である、請求項１乃至３のうちのいずれか一つに記載のプラズマディスプレイパネルの駆動方法。
【請求項５】
前記第３電圧及び前記第５電圧は前記第１電圧と同一な電圧である、請求項４に記載のプラズマディスプレイパネルの駆動方法。
【請求項６】
前記第４電圧は接地電圧である、請求項１乃至３のうちのいずれか一つに記載のプラズマディスプレイパネルの駆動方法。
【請求項７】
走査電極及び維持電極と、前記走査電極及び維持電極の間に形成されるパネルキャパシターとを含むプラズマディスプレイパネルの駆動方法において、
前記駆動方法は、リセット区間、アドレス区間、維持放電区間を含み、
前記リセット区間において、
（ａ）前記走査電極に、第１電圧から第２電圧まで下降する第１電圧波形を印加して、前記維持放電区間に形成された壁電荷を消去する段階；
（ｂ）前記走査電極に、第３電圧から第４電圧まで上昇する第２電圧波形を印加して、全ての放電セルに弱いリセット放電を起こして壁電荷を生成する段階；及び
（ｃ）前記走査電極に、第５電圧から第６電圧まで下降し、前記第１電圧波形と同一な傾きを有する第３電圧波形を印加して、前記段階（ｂ）で生成された壁電荷を消去させる段階；
を含むプラズマディスプレイパネルの駆動方法。
【請求項８】
前記第２電圧は前記第４電圧より高い、請求項７に記載のプラズマディスプレイパネルの駆動方法。
【請求項９】
前記第１電圧は維持放電電圧である、請求項７又は８に記載のプラズマディスプレイパネルの駆動方法。
【請求項１０】
前記第３電圧及び前記第５電圧は前記第１電圧と同一な電圧である、請求項９に記載のプラズマディスプレイパネルの駆動方法。
【請求項１１】
走査電極、維持電極、及び前記走査電極と前記維持電極との間に形成されるパネルキャパシターを含むプラズマディスプレイパネルの駆動装置において、
第１電圧と第２電圧との間に直列に連結され、接点が前記走査電極に電気的に連結される第１及び第２トランジスタを含み、前記走査電極に前記第１電圧または前記第２電圧を印加する維持放電電圧波形生成部；及び
前記走査電極と第３電圧との間に電気的に連結される第３トランジスタを含み、前記第３トランジスタのスイッチング動作に応答して、前記第１電圧から前記第３電圧より高い第４電圧まで下降する消去波形、または前記第１電圧から前記第４電圧まで下降する下降ランプ波形を前記走査電極に印加する消去波形及び下降ランプ波形生成部；
を含むプラズマディスプレイパネルの駆動装置。
【請求項１２】
前記第１トランジスタと前記第２トランジスタの接点に一端が連結される第１キャパシター、前記第１キャパシターの他端に電気的に連結される第４トランジスタ、前記第１トランジスタと前記第２トランジスタの接点と前記走査電極とに電気的に連結される第５トランジスタを含み、第５電圧から第６電圧まで上昇する上昇ランプ電圧を前記走査電極に印加する上昇ランプ波形生成部を追加的に含む、請求項１１に記載のプラズマディスプレイパネルの駆動装置。
【請求項１３】
前記消去波形及び下降ランプ波形の傾きは同一である、請求項１２に記載のプラズマディスプレイパネルの駆動装置。
【請求項１４】
前記第１電圧は維持放電電圧であり、前記第２電圧は接地電圧である、請求項１１乃至１３のうちのいずれか一つに記載のプラズマディスプレイパネルの駆動装置。
【請求項１５】
前記消去波形及び下降ランプ波形生成部は駆動ボードの下側に配置される、請求項１１乃至１３のうちのいずれか一つに記載のプラズマディスプレイパネルの駆動装置。
【請求項１６】
列方向に配列されている複数のアドレス電極、行方向にジグザグに配列されている走査電極、及び維持電極を含むプラズマパネル；及び
前記走査電極にスキャン電圧及び維持放電電圧を供給するための走査駆動部；を含み、
前記走査駆動部は、リセット区間において、
前記走査電極に第１電圧から第２電圧まで下降する第１電圧波形を印加して、維持放電区間に形成された壁電荷を消去させ、
前記走査電極に第３電圧から第４電圧まで上昇する第２電圧波形を印加して、全ての放電セルに弱いリセット放電を起こして壁電荷を生成し、
前記走査電極に、第５電圧から第６電圧まで下降し、前記第１電圧波形と同一な傾きを有する第３電圧波形を印加し、前記第２電圧波形によって生成された壁電荷を消去させるプラズマディスプレイパネル。
【請求項１７】
前記第２電圧は前記第４電圧より高い、請求項１６に記載のプラズマディスプレイパネル。
【請求項１８】
前記第１電圧は維持放電電圧である、請求項１６又は１７に記載のプラズマディスプレイパネルの駆動方法。
【請求項１９】
前記第３電圧及び前記第５電圧は前記第１電圧と同一な電圧である、請求項１８に記載のプラズマディスプレイパネル。
【発明の詳細な説明】
【技術分野】
【０００１】
本発明は、プラズマディスプレイパネル（ＰＤＰ）及びその駆動装置、並びにその駆動方法に関するものである。
【背景技術】
【０００２】
最近、液晶表示装置（ＬＣＤ）、電界放出表示装置（ＦＥＤ）、ＰＤＰなどの平面表示装置が活発に開発されている。これら平面表示装置の内、ＰＤＰは、他の平面表示装置に比べて輝度及び発光効率が高く、視野角が広いという長所がある。したがって、４０インチ以上の大型表示装置で、ＰＤＰは従来のＣＲＴ（cathode  ray  tube）を代替する表示装置として脚光を浴びている。
【０００３】
ＰＤＰは、気体放電によって生成されたプラズマを利用して文字または映像を表示する平面表示装置であって、その大きさによって数十から数百万個以上のピクセルがマトリックス形態に配列されている。このようなＰＤＰは、印加される駆動電圧波形の形態と放電セルの構造によって直流型（ＤＣ型）と交流型（ＡＣ型）とに区分される。
【０００４】
直流型ＰＤＰは、電極が放電空間にそのまま露出されていて、電圧が印加される間に電流が放電空間にそのまま流れるようになり、このため、電流制限のための抵抗を作らなければならない短所がある。反面、交流型ＰＤＰでは、電極を誘電体層が覆っていて自然なキャパシタンス成分が形成されて電流が制限され、放電時にはイオンの衝撃から電極が保護されるので、直流型に比べて寿命が長いという長所がある。
【０００５】
図１は、ＡＣ型プラズマディスプレイパネルの一部斜視図である。
図１に示したように、第１ガラス基板１上には、誘電体層２及び保護膜３で覆われた走査電極４と維持電極と５が対をなして平行に設置される。第２ガラス基板６上には複数のアドレス電極８が設置され、アドレス電極８は絶縁体層７によって覆われている。アドレス電極８の間にある絶縁体層７上には、アドレス電極８と平行に隔壁９が形成されている。また、絶縁体層７の表面及び隔壁９の両側面に蛍光体１０が形成されている。第１ガラス基板１と第２ガラス基板６は、走査電極４とアドレス電極８、及び維持電極５とアドレス電極８が直交するように、放電空間１１を隔てて対向して配置されている。アドレス電極８と、対をなす走査電極４と維持電極５との交差部分にある放電空間とが放電セル１２を形成する。
【０００６】
図２は、プラズマディスプレイパネルの電極配列図を示す。
図２に示したように、ＰＤＰ電極はｍ×ｎのマトリックス構成を有しており、具体的に、列方向にはアドレス電極（Ａ１〜Ａｍ）が配列されており、行方向には、ｎ行の走査電極（Ｙ１〜Ｙｎ）及び維持電極（Ｘ１〜Ｘｎ）がジグザグに配列されている。以下では、走査電極を“Ｙ電極”、維持電極を“Ｘ電極”と称する。図２に示された放電セル１２は図１に示された放電セル１２に対応する。
【０００７】
図３は、従来のプラズマディスプレイパネルの駆動波形図である。
図３に示したＰＤＰの駆動方法によれば、各サブフィールドは、リセット区間、アドレス区間、維持区間から構成される。
【０００８】
リセット区間は、以前の維持放電の壁電荷状態を消去し、次のアドレス放電を安定的に行うために壁電荷をセットアップする期間である。
【０００９】
アドレス区間は、パネルにおいて点灯されるセルと点灯されないセルとを選択して、点灯されるセル（アドレシングされたセル）に壁電荷を蓄積する動作を行う期間である。
【００１０】
維持区間は、Ｘ電極及びＹ電極に維持放電電圧を交互に印加して、アドレシングされたセルに実際に画像を表示するための放電を行う期間である。
【００１１】
以下、従来のプラズマ表示装置の駆動方法のリセット区間の動作を、より詳細に説明する。図３に示したように、リセット区間は、消去区間、Ｙランプ上昇区間、及びＹランプ下降区間からなる。
【００１２】
（１）消去区間（Ｉ）
この区間では、Ｘ電極を一定の電位にバイアスさせた状態で、Ｙ電極に維持放電電圧（Ｖｓ）から接地電位まで緩やかに下降するランプ電圧を印加して、以前の維持区間で形成された壁電荷を消去する。
【００１３】
（２）Ｙランプ上昇区間（ＩＩ）
この区間では、アドレス電極及びＸ電極を０Ｖに維持した状態で、Ｙ電極に電圧Ｖｓから電圧Ｖｓｅｔに向かって緩やかに上昇するランプ電圧を印加する。このランプ電圧が上昇する間、全ての放電セルではＹ電極からアドレス電極及びＸ電極に向かって各々微弱なリセット放電が起こる。その結果、Ｙ電極に（−）壁電荷が蓄積され、同時にアドレス電極及びＸ電極に（＋）壁電荷が蓄積される。
【００１４】
（３）Ｙランプ下降区間（ＩＩＩ）
次に、リセット期間の後半であるこの区間では、Ｘ電極を定電圧Ｖｂｉａｓに維持した状態で、Ｙ電極に電圧Ｖｓから接地電圧に向かって緩やかに下降するランプ電圧を印加する。このランプ電圧が下降する間、再び全ての放電セルでは微弱なリセット放電が起こる。
【００１５】
この時、Ｙランプ下降区間は、Ｙ上昇ランプによって蓄積された壁電荷を緩やかに減少させるための区間であるので、下降ランプの時間を長くするほど（つまり、傾きを緩やかにするほど）、減少する壁電荷量を精密に制御することができ、アドレス放電に有利である。したがって、通常下降ランプの時間を８０ｕｓｅｃ以上に設定する。
【００１６】
これに反し、消去動作を行うランプ（Ｉ）は、維持放電時に生じた壁電荷を消去するためのものであって、以前の維持放電によるプライミング効果に起因して、下降ランプ（ＩＩＩ）印加時間より短時間に消去波形を印加することができる。したがって、消去波形の印加時間を通常８０ｕｓｅｃ以下に設定する。
【００１７】
このように、従来は、消去ランプ（Ｉ）波形の傾きと下降ランプ（ＩＩＩ）波形の傾きとを異なるように設定し、消去ランプ（Ｉ）を印加するための回路ブロックと下降ランプ（ＩＩＩ）波形を印加するための回路ブロックを別途に用いたため、回路のコストが増加するという問題点があった。
【発明の開示】
【発明が解決しようとする課題】
【００１８】
本発明が目的とする技術的課題は、このような従来技術の問題点を解決するためのものであって、低費用の回路ブロックを有するプラズマディスプレイパネル及びその駆動装置を提供することにある。
【課題を解決するための手段】
【００１９】
前記目的を達成するための本発明の一つの特徴によるプラズマディスプレイパネルの駆動方法は、第１電極及び第２電極と、前記第１電極及び第２電極の間に形成されるパネルキャパシターとを含むプラズマディスプレイパネルの駆動方法であって、前記駆動方法は、リセット区間、アドレス区間、維持放電区間を含み、前記リセット区間において、（ａ）第１区間の間、前記第１電極に第１電圧から第２電圧まで下降する第１電圧波形を印加して、前記維持放電区間に形成された壁電荷を消去する段階；（ｂ）第２区間の間、前記第１電極に第３電圧から第４電圧まで上昇する第２電圧波形を印加する段階；及び（ｃ）第３区間の間、前記第１電極に、第５電圧から前記第２電圧より低い第６電圧まで下降する第３電圧波形を印加する段階；を含む。
【００２０】
一方、本発明の他の特徴によるプラズマディスプレイパネルの駆動方法は、走査電極及び維持電極と、前記走査電極及び維持電極の間に形成されるパネルキャパシターとを含むプラズマディスプレイパネルの駆動方法であって、前記駆動方法は、リセット区間、アドレス区間、維持放電区間を含み、前記リセット区間において、（ａ）前記走査電極に、第１電圧から第２電圧まで下降する第１電圧波形を印加して、前記維持放電区間に形成された壁電荷を消去する段階；（ｂ）前記走査電極に、第３電圧から第４電圧まで上昇する第２電圧波形を印加して、全ての放電セルに弱いリセット放電を起こして壁電荷を生成する段階；及び（ｃ）前記走査電極に、第５電圧から第６電圧まで下降し、前記第１電圧波形と同一な傾きを有する第３電圧波形を印加して、前記段階（ｂ）で生成された壁電荷を消去させる段階；を含む。
【００２１】
一方、本発明の特徴によるプラズマディスプレイパネルの駆動装置は、走査電極、維持電極、及び前記走査電極と前記維持電極との間に形成されるパネルキャパシターを含むプラズマディスプレイパネルの駆動装置であって、第１電圧と第２電圧との間に直列に連結され、接点が前記走査電極に電気的に連結される第１及び第２トランジスタを含み、前記走査電極に前記第１電圧または前記第２電圧を印加する維持放電電圧波形生成部；及び前記走査電極と第３電圧との間に電気的に連結される第３トランジスタを含み、前記第３トランジスタのスイッチング動作に応答して、前記第１電圧から前記第３電圧より高い第４電圧まで下降する消去波形、または前記第１電圧から前記第４電圧まで下降する下降ランプ波形を前記走査電極に印加する消去波形及び下降ランプ波形生成部；を含む。
【００２２】
一方、本発明の特徴によるプラズマディスプレイパネルは、列方向に配列されている複数のアドレス電極、行方向にジグザグに配列されている走査電極、及び維持電極を含むプラズマパネル；及び前記走査電極にスキャン電圧及び維持放電電圧を供給するための走査駆動部；を含み、前記走査駆動部は、リセット区間において、前記走査電極に第１電圧から第２電圧まで下降する第１電圧波形を印加して、維持放電区間に形成された壁電荷を消去させ、前記走査電極に第３電圧から第４電圧まで上昇する第２電圧波形を印加して、全ての放電セルに弱いリセット放電を起こして壁電荷を生成し、前記走査電極に、第５電圧から第６電圧まで下降し、前記第１電圧波形と同一な傾きを有する第３電圧波形を印加し、前記第２電圧波形によって生成された壁電荷を消去させる。
【発明の効果】
【００２３】
本発明によれば、消去波形と下降ランプ波形を一つの回路ブロックで実現するので、回路コストを節減することができる。
【発明を実施するための最良の形態】
【００２４】
以下、図面を参照して本発明の実施例を詳細に説明する。
図４は、本発明の実施例によるプラズマディスプレイパネル（ＰＤＰ）を示す図である。
図４に示したように、本発明の実施例によるＰＤＰは、プラズマパネル１００、アドレス駆動部２００、Ｙ電極駆動部３００、Ｘ電極駆動部４００、及び制御部５００を含む。
【００２５】
プラズマパネル１００は、列方向に配列されている複数のアドレス電極（Ａ１〜Ａｍ）、行方向にジグザグに配列されている走査電極（Ｙ１〜Ｙｎ）、及び維持電極（Ｘ１〜Ｘｎ）を含む。
【００２６】
アドレス駆動部２００は、制御部５００からアドレス駆動制御信号（ＳＡ）を受信して、表示しようとする放電セルを選択するための表示データ信号を各アドレス電極に印加する。
【００２７】
Ｙ電極駆動部３００及びＸ電極駆動部４００は、制御部５００から各々Ｙ電極駆動信号（ＳＹ）とＸ電極駆動信号（ＳＸ）を受信してＸ電極とＹ電極に印加する。
【００２８】
制御部５００は、外部から映像信号を受信して、アドレス駆動制御信号（ＳＡ）、Ｙ電極駆動信号（ＳＹ）、及びＸ電極駆動信号（ＳＸ）を生成して、各々アドレス駆動部２００、Ｙ電極駆動部３００、及びＸ電極駆動部４００に伝達する。
【００２９】
本発明の実施例によれば、消去のための消去波形と下降ランプ波形の傾きを同一に設定する。そうすると、一つの回路ブロックで消去波形とランプ波形を実現することができるので、回路コストを節減することができる。
【００３０】
しかし、消去波形の傾きと下降ランプ波形の傾きとを同一に設定する場合、下降ランプの傾きを基準に設定しなければならないため、リセット期間が長くなる短所がある。したがって、本発明の実施例では、消去ランプ波形の傾きと下降ランプ波形の傾きとを同一に設定し、消去波形の最も低い電圧を下降ランプ波形の最も低い電圧よりΔＶだけ高く設定し、Ｘ電極のバイアス電圧をΔＶだけ上昇させて消去動作を行うようにする。
【００３１】
図５は、本発明の実施例によるＹ電極駆動部３００及びＸ電極駆動部４００の駆動波形を示す図である。
図５に示したように、本発明の実施例によるリセット区間は、消去区間、Ｙランプ上昇区間、及びＹランプ下降区間からなる。
【００３２】
（１）消去区間（Ｗ１）
この区間では、Ｘ電極を一定の電位（Ｖｂｉａｓ＋ΔＶ）にバイアスさせた状態で、Ｙ電極に、維持放電電圧（Ｖｓ）から接地電位よりΔＶほど高い電圧まで緩やかに下降させる下降ランプを印加して、以前の維持区間で形成された壁電荷を除去する。
【００３３】
（２）Ｙランプ上昇区間（Ｗ２）
この区間ではアドレス電極及びＸ電極を０Ｖに維持し、Ｙ電極に、電圧Ｖｓから電圧Ｖｓｅｔに向かって緩やかに上昇するランプ電圧を印加する。このランプ電圧が上昇する間、全ての放電セルでは、Ｙ電極からアドレス電極及びＸ電極に各々微弱なリセット放電が起こる。その結果、Ｙ電極に（−）壁電荷が蓄積され、同時に、アドレス電極及びＸ電極には（＋）壁電荷が蓄積される。
【００３４】
（３）Ｙランプ下降区間（Ｗ３）
次に、リセット期間の後半には、Ｘ電極を電圧（Ｖｂｉａｓ＋ΔＶ）にバイアスさせた状態で、Ｙ電極に、電圧Ｖｓから接地電圧に向かって緩やかに下降するランプ電圧を印加する。この時、Ｙランプ下降波形（Ｗ３）の傾きは消去波形（Ｗ１）の傾きと同一である。このランプ電圧が下降する間、再び全ての放電セルでは微弱なリセット放電が起こる。
【００３５】
図６は、本発明の実施例によるＹ電極駆動部３００の詳細回路図である。
本発明の実施例によるＹ電極駆動部は、維持放電電圧波形生成部３２０、Ｙ上昇ランプ波形生成部３４０、消去波形及びＹランプ下降波形生成部３６０、並びにスキャンＩＣ３８０を含む。
【００３６】
維持放電電圧波形生成部３２０は、トランジスタ（Ｙｒ、Ｙｆ、Ｙｓ、Ｙｇ）、ダイオード（Ｄｒ、Ｄｆ、Ｄｓ、Ｄｇ）、インダクタ（Ｌ１）、及びキャパシター（Ｃ１）を含む。トランジスタ（Ｙｓ、Ｙｇ）は、維持放電電圧である電圧Ｖｓと接地電圧との間に直列に連結されて電圧Ｖｓ及び接地電圧を各々パネルキャパシター（Ｃｐ）に供給するためのスイッチング素子である。キャパシター（Ｃ１）、インダクタ（Ｌ１）、トランジスタ（Ｙｒ、Ｙｆ）は電力回収回路（energy  recovery  circuit）を構成して、パネルキャパシター（Ｃｐ）の電圧を電圧Ｖｓに充電したり、接地電圧に放電させる役割を果たす。
【００３７】
スキャンＩＣ３８０は、接点が走査電極（パネルキャパシターの一端）に連結されるトランジスタを含み、プラズマディスプレイパネルの走査電極（Ｙ電極）に順にスキャン電圧を供給する役割を果たす。
【００３８】
Ｙ上昇ランプ波形生成部３４０は、キャパシター（Ｃｓｅｔ）、上昇ランプトランジスタ（Ｙｒｒ）、メイン経路トランジスタ（Ｙｐｐ）を含み、パネルキャパシター（Ｃｐ）に、電圧Ｖｓから電圧Ｖｓｅｔまで上昇する上昇ランプ電圧波形を印加する。キャパシター（Ｃｓｅｔ）は、トランジスタ（Ｙｓ、Ｙｇ）の間の接点とトランジスタ（Ｙｒｒ）のドレーンに連結され、メイン経路トランジスタ（Ｙｐｐ）は、トランジスタ（Ｙｓ、Ｙｇ）の間の接点とトランジスタ（Ｙｒｒ）のソースとの間に連結される。
【００３９】
消去波形及びＹ下降ランプ波形生成部３６０はトランジスタ（Ｙｆｒ）とダイオード（Ｄｆｒ）を含み、パネルキャパシター（Ｃｐ）に、電圧ＶｓからΔＶまで下降する消去波形（Ｗ１）と、電圧Ｖｓから接地電圧まで下降する下降ランプ波形（Ｗ３）とを印加する。
【００４０】
図６に示した本発明の実施例による駆動回路によれば、消去波形及びＹ下降ランプ波形を同一な回路ブロック３６０に実現したので、回路コストが節減される長所がある。この時の消去波形及びＹ下降ランプ波形生成部３６０は、ランプの動作時にＦＥＴ素子が完全に開放された状態で動作するものではないため、素子に過度な熱が発生する恐れがある。したがって、消去波形及びＹ下降ランプ波形生成部３６０の回路ブロックは、発熱に有利であるように駆動ボードの下側に配置し、素子の温度を低減するのが好ましい。
【００４１】
次に、図５及び図６を参照して、本発明の実施例による駆動方法をより詳細に説明する。
まず、キャパシター（Ｃｓｅｔ）に電圧（Ｖｓｅｔ−Ｖｓ）が充電されていると仮定する。このような電圧の充電はトランジスタ（Ｙｇ）をオンさせることによって容易に行うことができる。
【００４２】
Ｙ電極に維持放電電圧（Ｖｓ）が印加された状態でトランジスタ（Ｙｐｐ、Ｙｒｒ）をオフさせ、トランジスタ（Ｙｆｒ）をオンさせる。そうなると、パネルキャパシターの第１端子（Ｙ電極）に、電圧Ｖｓから順に下降する消去波形（Ｗ１）が印加される。この時のトランジスタ（Ｙｆｒ）は、ソース−ドレーンの間に一定の電流を流れるようにするランプスイッチであるので、消去波形はランプ下降波形になる。Ｙ電極の電圧がΔＶになると、トランジスタ（Ｙｆｒ）をオフさせ、トランジスタ（Ｙｓ、Ｙｐｐ）をオンさせる。
【００４３】
そして、トランジスタ（Ｙ３）をオンさせた状態でトランジスタ（Ｙｐｐ）をオフさせ、トランジスタ（Ｙｒｒ）をオンさせる。そうすると、キャパシター（Ｃ１）の第１端子に電圧（Ｖｓ）が供給され、キャパシター（Ｃ１）には電圧（Ｖｓｅｔ−Ｖｓ）が予め充電されているので、キャパシター（Ｃ１）の第２端子の電圧はＶｓｅｔになる。そして、キャパシター（Ｃ１）の第２端子の電圧（Ｖｓｅｔ）はトランジスタ（Ｙｒｒ）を通じてＹ電極に供給される。したがって、Ｙ電極に上昇ランプ電圧波形（Ｗ２）が印加される。
【００４４】
その後でトランジスタ（Ｙｒｒ）をオフさせ、トランジスタ（Ｙｆｒ）をオンさせる。そうすると、Ｙ電極に、電圧Ｖｓから接地電位まで下降する下降ランプ波形（Ｗ３）が印加される。
【００４５】
以上では本発明の実施例について詳細に説明したが、本発明は前記実施例にだけ限定されず、その他の様々な変形や変更が可能である。例えば、本発明の実施例では下降ランプ波形が接地電圧まで下降することを例として説明したが、その他のバイアス電圧まで下降することができる。
【図面の簡単な説明】
【００４６】
【図１】交流型プラズマディスプレイパネルの一部斜視図である。
【図２】プラズマディスプレイパネルの電極配列図である。
【図３】従来のプラズマディスプレイパネルの駆動波形図である。
【図４】本発明の実施例によるプラズマディスプレイパネルを示す図である。
【図５】本発明の実施例によるプラズマディスプレイパネルの駆動波形図である。
【図６】本発明の実施例によるプラズマディスプレイパネルの駆動回路図である。
【符号の説明】
【００４７】
１  第１ガラス基板
２  誘電体層
３  保護膜
４  走査電極
５  維持電極
６  第２ガラス基板
７  絶縁体層
８  アドレス電極
９  隔壁
１０  蛍光体
１１  放電空間
１２  放電セル
１００  プラズマパネル
２００  アドレス駆動部
３００  Ｙ電極駆動部
３２０  維持放電電圧波形生成部
３４０  Ｙ上昇ランプ波形生成部
３６０  消去波形及びＹランプ下降波形生成部
３８０  スキャンＩＣ
４００  Ｘ電極駆動部
５００  制御部
【図１】
2005128507.tif 000003
【図２】
2005128507.tif 000004
【図３】
2005128507.tif 000005
【図４】
2005128507.tif 000006
【図５】
2005128507.tif 000007
【図６】
2005128507.tif 000008